(57)【要約】【課題】      盗難防止装置の磁吸係止爪の磁石を用いた係合関係の解除を困難にする。【解決手段】  陳列ケースＫの挿入口９からガイド手段１０により案内して挿入部材１１を挿入すると共に、この挿入部材と上記陳列ケースの箱体及び蓋体とに掛合関係によって上記陳列ケースの開放阻止の掛合装置Ｎを設け、上記挿入部材と陳列ケース或いはガイド手段とに前後挿入部材の挿入にともない復元力に抗して押し戻される磁吸係止爪２１と、前記挿入部材の挿入終了にともない上記磁吸係止爪が係合関係になる係合部２２とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設けた構成を採用する。【選択図】    図１
2007030931.tif 000002
【特許請求の範囲】
【請求項１】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合装置を設け、上記挿入部材と陳列ケース或いはガイド手段とに前記挿入部材の挿入にともない復元力に抗して押し戻される磁吸係止爪と、前記挿入部材の挿入終了にともない上記磁吸係止爪が係合関係になる係合部とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設けたことを特徴とする盗難防止装置。
【請求項２】
周囲の一面に盗難防止対象物の出し入れ用の開口を有する陳列ケースを形成し、この陳列ケースの周壁に上記開口から前記開口の反対方向にガイド手段を設けて、このガイド手段により案内される挿入部材を挿入し、この挿入部材の末端に前記開口の一部を閉鎖するストッパを設け、上記挿入部材と上記陳列ケース或いはガイド手段に前記挿入部材の挿入にともない復元力に抗して押し戻される磁吸係止爪と、上記挿入部材の挿入終了にともない上記磁吸係止爪が係合関係になる係合部とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設けたことを特徴とする盗難防止装置。
【請求項３】
筒状の保持部材にブックの綴じ込み紙のみ或いは必要に応じ表裏紙の片方を貫通させ、この保持部材の上記ブックにより被われない露出表面に挿入路を設けて、この挿入路に挿入部材を挿入すると共に、この挿入部材の末端に上記ブックの背表紙の表面に位置するストッパを設け、上記挿入部材と挿入路とに前記挿入部材の挿入にともない押し戻される磁吸係止爪と、上記挿入部材の挿入終了にともない上記磁吸係止爪が係合関係になる係合部とを設けた盗難防止装置において、上記挿入部材に上記挿入路のブックにより被われない面から磁吸始動部位の距離を一方が近く、他方が遠くなるような段差をもち、かつ同方向に押し戻される少なくとも二つの磁吸係止爪を設けたことを特徴とする盗難防止装置。
【請求項４】
ブックの綴じ込み紙間で、かつブック背表紙に沿って介在部材を介在し、この介在部材の末端に抜止め部を設け、上記介在部材の先端に設けた挿入路に挿入部材を挿入すると共に、この挿入部材の末端にブックの背表紙の表面に位置するストッパを設け、上記挿入部材と挿入路とに前記挿入部材の挿入にともない押し戻される磁吸係止爪と、上記挿入部材の挿入終了にともない上記磁吸係止爪が係合関係になる係合部とを設けた盗難防止装置において、上記挿入部材に上記挿入路のブックにより被われない面から磁吸始動部位の距離を一方が近く、他方が遠くなるような段差をもち、かつ同方向に押し戻される少なくとも二つの磁吸係止爪を設けたことを特徴とする盗難防止装置。
【請求項５】
陳列ケースの一側面の開口から盗難防止対象物を嵌装すると共に、上記開口の下縁脱出防止部によって上記嵌装下の盗難防止対象物の下縁側の脱出を阻止し、上記陳列ケースの上面から上方に突出する案内部によって上下方向に案内される昇降体を設けると共に、この昇降体に降下にともない嵌装下の盗難防止対象物の上方移動を止めるストッパを設け、上記昇降体と案内部とに前記昇降体の降下にともない押し戻される磁吸係止爪と、上記昇降体の降下終了にともない上記磁吸係止爪が係合関係になる係合部とを設けた盗難防止装置において、上記昇降体に前記昇降体の上面から磁吸始動部位の距離を一方が近く、他方が遠くなるように段差をもち、かつ同方向に押し戻される少なくとも二つの磁吸係止爪を設けたことを特徴とする盗難防止装置。
【請求項６】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合装置を設け、上記挿入部材と陳列ケース或いはガイド手段とに前後挿入部材の挿入にともない復元力に抗して押し戻される磁吸係止爪と、前記挿入部材の挿入終了にともない上記磁吸係止爪が係合関係になる係合部とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設け、解除具の一面上記陳列ケースの周囲面外側に位置する第１磁石で上記の距離の近い磁吸係止爪を、上記解除具の他面上記陳列ケースの側面外側に位置する第２磁石で上記の距離の遠い磁吸係止爪を同方向に磁吸するようにしたことを特徴とする盗難防止装置。
【請求項７】
周囲の一面に盗難防止対象物の出し入れ用の開口を有する陳列ケースを形成し、この陳列ケースの周壁に上記開口から前記開口の反対方向にガイド手段を設けて、このガイド手段により案内される挿入部材を挿入し、この挿入部材の末端に前記開口の一部を閉鎖するストッパを設け、上記挿入部材と上記陳列ケース或いはガイド手段に前記挿入部材の挿入にともない復元力に抗して押し戻される磁吸係止爪と、上記挿入部材の挿入終了にともない上記磁吸係止爪が係合関係になる係合部とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設け、解除具の一面上記陳列ケースの周囲面外側に位置する第１磁石で上記の距離の近い磁吸係止爪を、上記解除具の他面上記陳列ケースの側面外側に位置する第２磁石で上記の距離の遠い磁吸係止爪を同方向に磁吸するようにしたことを特徴とする盗難防止装置。
【請求項８】
筒状の保持部材にブックの綴じ込み紙のみ或いは必要に応じ表裏紙の片方を貫通させ、この保持部材の上記ブックにより被われない露出表面に挿入路を設けて、この挿入路に挿入部材を挿入すると共に、この挿入部材の末端に上記ブックの背表紙の表面に位置するストッパを設け、上記挿入部材と挿入路とに前記挿入部材の挿入にともない押し戻される磁吸係止爪と、上記挿入部材の挿入終了にともない上記磁吸係止爪が係合関係になる係合部とを設けた盗難防止装置において、上記挿入部材に上記挿入路のブックにより被われない面から磁吸始動部位の距離を一方が近く、他方が遠くなるような段差をもち、かつ同方向に押し戻される少なくとも二つの磁吸係止爪を設け、解除具の一面上記挿入路の上記係合部に対向する壁の外側に位置する第１磁石で上記の距離の近い磁吸係止爪を、上記解除具の他面上記挿入路の上記磁吸係止爪の傾動方向に沿う壁の外側に位置する第２磁石で上記距離の遠い磁吸係止爪を同方向に磁吸するようにしたことを特徴とする盗難防止装置。
【請求項９】
ブックの綴じ込み紙間で、かつブック背表紙に沿って介在部材を介在し、この介在部材の末端に抜止め部を設け、上記介在部材の先端に設けた挿入路に挿入部材を挿入すると共に、この挿入部材の末端にブックの背表紙の表面に位置するストッパを設け、上記挿入部材と挿入路とに前記挿入部材の挿入にともない押し戻される磁吸係止爪と、上記挿入部材の挿入終了にともない上記磁吸係止爪が係合関係になる係合部とを設けた盗難防止装置において、上記挿入部材に上記挿入路のブックにより被われない面から磁吸始動部位の距離を一方が近く、他方が遠くなるような段差をもち、かつ同方向に押し戻される少なくとも二つの磁吸係止爪を設け、解除具の一面上記挿入路の上記係合部に対向する壁の外側に位置する第１磁石で上記の距離の近い磁吸係止爪を、上記解除具の他面上記挿入路の上記磁吸係止爪の傾動方向に沿う壁の外側に位置する第２磁石で上記距離の遠い磁吸係止爪を同方向に磁吸するようにしたことを特徴とする盗難防止装置。
【請求項１０】
陳列ケースの一側面の開口から盗難防止対象物を嵌装すると共に、上記開口の下縁脱出防止部によって上記嵌装下の盗難防止対象物の下縁側の脱出を阻止し、上記陳列ケースの上面から上方に突出する案内部によって上下方向に案内される昇降体を設けると共に、この昇降体に降下にともない嵌装下の盗難防止対象物の上方移動を止めるストッパを設け、上記昇降体と案内部とに前記昇降体の降下にともない押し戻される磁吸係止爪と、上記昇降体の降下終了にともない上記磁吸係止爪が係合関係になる係合部とを設けた盗難防止装置において、上記昇降体に前記昇降体の上面から磁吸始動部位の距離を一方が近く、他方が遠くなるように段差をもち、かつ同方向に押し戻される少なくとも二つの磁吸係止爪を設け、解除具の一面上記昇降体の上面外側に位置する第１磁石で上記の距離の近い磁吸係止爪を、上記解除具の他面案内部の側面外側に位置する第２磁石で上記の距離の遠い磁吸係止爪を同方向に磁吸するようにしたことを特徴とする盗難防止装置。
【請求項１１】
箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合手段を設け、上記挿入部材と陳列ケース或いはガイド手段とに前記挿入部材の挿入終了にともない復元力に抗して押し戻される磁吸係止爪と、前記挿入部材の挿入終了にともない上記係止爪が係合関係になる係合部とを設けた盗難防止装置において、上記挿入部材に上記陳列ケースの周囲面から磁吸される垂直揺動の第１の磁吸係止爪及び陳列ケースの側面から磁吸される水平揺動の第２の磁吸係止爪を設けたことを特徴とする盗難防止装置。
【請求項１２】
周囲の一面に盗難防止対象の出し入れ用の開口を有する陳列ケースを形成し、この陳列ケースの周壁に上記開口から前記開口の反対方向にガイド手段を設けて、このガイド手段により案内される挿入部材を挿入し、この挿入部材の末端に前記開口の一部を閉鎖するストッパを設け、上記挿入部材と上記陳列ケース或いはガイド手段に前記挿入部材の挿入にともない復元力に抗して押し戻される磁吸係止爪と、上記挿入部材の挿入終了にともない上記磁吸係止爪とが係合関係になる係合部を設けた盗難防止装置において、上記挿入部材に上記陳列ケースの周囲面から磁吸される垂直揺動の第１の磁吸係止爪及び陳列ケースの側面から磁吸され水平揺動の第２の磁吸係止爪を設けたことを特徴とする盗難防止装置。
【請求項１３】
Ｌ字状やコ字状の基材と、この基材の水平部分に垂直揺動する第１の磁吸係止爪に対向して前記第１の磁吸係止爪を解除方向に磁吸するように設けた第１磁石と、上記基材の垂直部分に水平揺動する第２の磁吸係止爪に対向して前記第２の磁吸係止爪を解除方向に磁吸するように設けた第２磁石とからなる解除具。
【発明の詳細な説明】
【技術分野】
【０００１】
この発明は、ショップに陳列してある販売やレンタルの例えば音楽や映像を記録したディスクやビデオテープ或いはブックその他の盗難防止対象物の盗難防止装置で、施錠の係止爪の磁吸による係合関係の解除が困難になるようにすること及びショップ側での係合関係の解除が容易になる解除具に関する。
【背景技術】
【０００２】
ショップに盗難防止対象物の例えばディスクを収納したケースを陳列すると、ケースに開放阻止の手立てがないと、ケースを開放して盗難防止対象物の取り出しができて、盗難に遭う。
【０００３】
そこで、上述のような盗難を防止するために、盗難防止対象物（例えば、ディスク）を収納する陳列ケースにショップ側による開放阻止の錠装置を設けることで解決することができる。
【０００４】
上記の既存の錠装置としては、図３７及び図３８に示すように、盗難防止対象物Ｘの収納陳列ケース２００を構成するヒンジ２０１を介し開閉する箱体２０２と蓋体２０３とのヒンジ２０１の反対側辺に７字状などの並列係合溝２０４を設けて、この両係合溝２０４に係合状態に断面Ｈ型などの施錠部品２０５としてのスライダ２０６を挿入して、挿入スライダ２０６を介し陳列ケース２００の開放を阻止する。
【０００５】
そして、陳列ケース２００や並列係合溝２０４とスライダ２０６との対向面に設けてある係合部２０７と磁吸される係止爪２０８との係合関係（この係合関係は、スライダ２０６の挿入終了にともない自動的に係合する）になり、上記の係合関係の解除は、磁吸される係止爪２０８にショップ側の解除具の磁石２０９を近づけることで係止爪２０８が磁吸されて、係合部２０７から係止爪２０８が外れる。
【０００６】
なお、磁吸される係止爪２０８は、スライダ２０６の挿入方向の前後に複数並べて設けてある。
【０００７】
また、上記以外に、図３９から図４４に示すように、盗難防止対象物Ｘの収納陳列ケース２１０を構成するヒンジ２１１を介し開閉する箱体２１２と蓋体２１３とのヒンジ２１１の反対側に挿入口２１４を有する挿入路２１５を設けて、この挿入口２１４から挿入路２１５にスライダ２１６を挿入して、スライダ２１６を介し陳列ケース２１０の開放を阻止する。
【０００８】
この挿入したスライダ２１６が閂としての役目をするように、挿入路２１５が箱体２１２と蓋体２１３とに千鳥状の配列で噛み合い状に嵌り込む（図４３、図４４に示す）ように設けてある。
【０００９】
そして、スライダ２１６の両側面に磁吸される係止爪２１７を、挿入路２１５のスライダ２１６の両側面と対向する面にスライダ２１６の挿入終了にともない係止爪２１７が係合関係になる係合部２１８を設け、上記の係合関係の解除は、図４２に示すように、陳列ケース２１０の両側、すなわち、箱体２１２と蓋体２１３との外側にショップ側の解除具の磁石２１９を近づけることで係止爪２１７が磁吸されて係合部２１８から係止爪２１７が外れる。
【００１０】
なお、図中２２０は係止爪２０８、２１７に設けた鉄片である。
【００１１】
さらに、上記以外に、陳列用の盗難防止ケースの一側面の開口から商品の収納ケースを嵌装すると共に、嵌装下に上記開口から上向きに突出する脱出防止部の内側に上記収納ケースの下部を位置させ、上記盗難防止ケースの上辺側に設けてあるショップ側の解錠具による解錠可能な錠装置により収納ケースの上辺に突出部を係合関係にして、盗難防止ケースに対し収納ケースの抜き取りを阻止するようにしたものがある（特許文献１）。
【００１２】
また、上記以外に、周囲一面の開口から陳列用のケースに販売や貸し出し用の物品を挿入したのち、ガイドによって案内されるスライダを挿入して、スライダのストッパにより開口を閉鎖すると共に、スライダの挿入終了時点にケース或いはガイドとスライダとの対向面に設けてある係止手段としての係止部と磁吸される係止片との係合関係（図１０参照）によってスライダの脱出方向のスライドを止めて、ケースから物品の抜き取りを阻止するようにしたものがある（特許文献２）。
【００１３】
さらに、図４５から図４８に示すように筒状の保持部材２３１に表裏紙の少なくとも片方を除いてブック２３２を貫通させたのち、保持部材２３１の案内部２３３により案内させて備え部材２３４を装備すると共に、備え部材２３４のストッパ２３５をブック２３２の背表紙の表面側に位置させ、この状況下で備え部材２３４の磁吸される係止爪２３６と案内部２３３の係合部２３７との係合関係によって保持部２３１に対するブック２３２の抜き取りや立ち読みを防止するものや、ブック２３２の綴じ込み紙２４０間に介在する介在部材２４１の一端に抜け止めやブック２３２の捲りを防止する抱き込み片２４２を設け、介在部材２４１の他端の案内部２３３に備え部材２３４を装備すると共に、備え部材２３４のストッパ２３５をブック２３２の背表紙の表面側に位置させ、この状況下で備え部材２３４の磁吸される係止爪２３６と案内部材２３３の係合部２３７との係合関係によって保持部２３１に対するブック２３２の抜き取りや立ち読みを防止するものがある。
【００１４】
なお、係合部２３７に対する係止爪２３６の係合関係の解除は、ショップ側の解除具の磁石２３９で係止爪２３６を磁吸することにより行なう。
【００１５】
図中２５１は鉄片、２５２はヒンジ、２５３はブック２３２の抱き込み片、Ｔは盗難防止タグである。
【特許文献１】特開２００４−２４９０６９号公報
【特許文献２】特開２００４−３４５７３６号公報
【発明の開示】
【発明が解決しようとする課題】
【００１６】
ところで、図２９、３０に示す磁吸される係止爪のみをスライダの一面に直列状で、かつ同一レベル（係止爪の自由端や鉄片が同じ高さ）に並べてあるので、顧客の持参した永久磁石を係止爪の配列線上に近づけることで、複数の各係止爪を同時に磁吸して係合関係を解除することができる問題があった。
【００１７】
また、図３１から図３６に示すスライダの両側面に磁吸される係止爪のみを配置した場合であっても、スライダの両側にそれぞれ顧客の持参した永久磁石を近づけることで、各係止爪を磁吸して係合関係を解除することができる問題があった。
【００１８】
さらに、特許文献１の錠装置として直列状で、かつ同一レベル（係止爪の自由端や鉄片が同じ高さ）に磁吸される係止爪を並べたとしても、又特許文献２の磁吸される係止爪の場合でも、顧客の持参した永久磁石により係止爪を磁吸して係合関係を解除することができる問題があった。
【００１９】
また、図３７から図４０に示すブックの盗難や立ち読みを防止するものにあっても、単独に磁吸される係止爪のみを配置するので、前述と同様に永久磁石を用いて容易に係合関係を解除される問題があった。
【００２０】
いずれも、単独に磁吸される係止爪を複数配置しても、永久磁石を用いて容易に係合関係を解除され、盗難防止対象物（品物）の盗難に遭う問題が発生した。
【００２１】
なお、磁吸される係止爪に磁吸されない係止爪を併設することで、係合関係の解除を煩雑にすることができる。
【００２２】
しかしながら、大幅なコストアップになる。
【００２３】
そこで、この発明は、複数の磁吸される係止爪を配置しても、顧客の持参した永久磁石で係合関係の解除が困難になるようにした盗難防止装置及びショップ側で使用する解除具を提供することにある。
【課題を解決するための手段】
【００２４】
上記の課題を解決するために、この発明は、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合装置を設け、上記挿入部材と陳列ケース或いはガイド手段とに前記挿入部材の挿入にともない復元力に抗して押し戻される磁吸係止爪と、前記挿入部材の挿入終了にともない上記磁吸係止爪が係合関係になる係合部とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設けた構成を採用する。
【００２５】
また、周囲の一面に盗難防止対象物の出し入れ用の開口を有する陳列ケースを形成し、この陳列ケースの周壁に上記開口から前記開口の反対方向にガイド手段を設けて、このガイド手段により案内される挿入部材を挿入し、この挿入部材の末端に前記開口の一部を閉鎖するストッパを設け、上記挿入部材と上記陳列ケース或いはガイド手段に前記挿入部材の挿入にともない復元力に抗して押し戻される磁吸係止爪と、上記挿入部材の挿入終了にともない上記磁吸係止爪が係合関係になる係合部とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設けた構成を採用する。
【００２６】
さらに、筒状の保持部材にブックの綴じ込み紙のみ或いは必要に応じ表裏紙の片方を貫通させ、この保持部材の上記ブックにより被われない露出表面に挿入路を設けて、この挿入路に挿入部材を挿入すると共に、この挿入部材の末端に上記ブックの背表紙の表面に位置するストッパを設け、上記挿入部材と挿入路とに前記挿入部材の挿入にともない押し戻される磁吸係止爪と、上記挿入部材の挿入終了にともない上記磁吸係止爪が係合関係になる係合部とを設けた盗難防止装置において、上記挿入部材に上記挿入路のブックにより被われない面から磁吸始動部位の距離を一方が近く、他方が遠くなるような段差をもち、かつ同方向に押し戻される少なくとも二つの磁吸係止爪を設けた構成を採用する。
【００２７】
また、ブックの綴じ込み紙間で、かつブック背表紙に沿って介在部材を介在し、この介在部材の末端に抜止め部を設け、上記介在部材の先端に設けた挿入路に挿入部材を挿入すると共に、この挿入部材の末端にブックの背表紙の表面に位置するストッパを設け、上記挿入部材と挿入路とに前記挿入部材の挿入にともない押し戻される磁吸係止爪と、上記挿入部材の挿入終了にともない上記磁吸係止爪が係合関係になる係合部とを設けた盗難防止装置において、上記挿入部材に上記挿入路のブックにより被われない面から磁吸始動部位の距離を一方が近く、他方が遠くなるような段差をもち、かつ同方向に押し戻される少なくとも二つの磁吸係止爪を設けた構成を採用する。
【００２８】
さらに、陳列ケースの一側面の開口から盗難防止対象物を嵌装すると共に、上記開口の下縁脱出防止部によって上記嵌装下の盗難防止対象物の下縁側の脱出を阻止し、上記陳列ケースの上面から上方に突出する案内部によって上下方向に案内される昇降体を設けると共に、この昇降体に降下にともない嵌装下の盗難防止対象物の上方移動を止めるストッパを設け、上記昇降体と案内部とに前記昇降体の降下にともない押し戻される磁吸係止爪と、上記昇降体の降下終了にともない上記磁吸係止爪が係合関係になる係合部とを設けた盗難防止装置において、上記昇降体に前記昇降体の上面から磁吸始動部位の距離を一方が近く、他方が遠くなるように段差をもち、かつ同方向に押し戻される少なくとも二つの磁吸係止爪を設けた構成を採用する。
【００２９】
すると、陳列ケースの周囲一面や挿入路の一面や昇降体の一面に顧客の持ち込んだ磁石を重ねて磁吸係止爪を磁吸しても、距離の近い方の磁吸係止のみが磁吸されて距離の遠い方の磁吸係止爪が磁吸されず、磁吸できない磁吸係止爪と係合部との係合関係が維持される。
【００３０】
また、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合装置を設け、上記挿入部材と陳列ケース或いはガイド手段とに前後挿入部材の挿入にともない復元力に抗して押し戻される磁吸係止爪と、前記挿入部材の挿入終了にともない上記磁吸係止爪が係合関係になる係合部とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設け、解除具の一面上記陳列ケースの周囲面外側に位置する第１磁石で上記の距離の近い磁吸係止爪を、上記解除具の他面上記陳列ケースの側面外側に位置する第２磁石で上記の距離の遠い磁吸係止爪を同方向に磁吸する。
【００３１】
さらに、周囲の一面に盗難防止対象物の出し入れ用の開口を有する陳列ケースを形成し、この陳列ケースの周壁に上記開口から前記開口の反対方向にガイド手段を設けて、このガイド手段により案内される挿入部材を挿入し、この挿入部材の末端に前記開口の一部を閉鎖するストッパを設け、上記挿入部材と上記陳列ケース或いはガイド手段に前記挿入部材の挿入にともない復元力に抗して押し戻される磁吸係止爪と、上記挿入部材の挿入終了にともない上記磁吸係止爪が係合関係になる係合部とを設けた盗難防止装置において、上記挿入部材に上記陳列ケースの周囲面から磁吸始動部位の距離を一方が近く、他方が遠くなるように段差をもち、かつ同方向に押し戻される少なくとも二つの磁吸係止爪を設け、解除具の一面上記陳列ケースの周囲面外側に位置する第１磁石で上記の距離の近い磁吸係止爪を、上記解除具の他面上記陳列ケースの側面外側に位置する第２磁石で上記の距離の遠い磁吸係止爪を同方向に磁吸する。
【００３２】
また、筒状の保持部材にブックの綴じ込み紙のみ或いは必要に応じ表裏紙の片方を貫通させ、この保持部材の上記ブックにより被われない露出表面に挿入路を設けて、この挿入路に挿入部材を挿入すると共に、この挿入部材の末端に上記ブックの背表紙の表面に位置するストッパを設け、上記挿入部材と挿入路とに前記挿入部材の挿入にともない押し戻される磁吸係止爪と、上記挿入部材の挿入終了にともない上記磁吸係止爪が係合関係になる係合部とを設けた盗難防止装置において、上記挿入部材に上記挿入路のブックにより被われない面から磁吸始動部位の距離を一方が近く、他方が遠くなるような段差をもち、かつ同方向に押し戻される少なくとも二つの磁吸係止爪を設け、解除具の一面上記挿入路の上記係合部に対向する壁の外側に位置する第１磁石で上記の距離の近い磁吸係止爪を、上記解除具の他面上記挿入路の上記磁吸係止爪の傾動方向に沿う壁の外側に位置する第２磁石で上記距離の遠い磁吸係止爪を同方向に磁吸する。
【００３３】
さらに、ブックの綴じ込み紙間で、かつブック背表紙に沿って介在部材を介在し、この介在部材の末端に抜止め部を設け、上記介在部材の先端に設けた挿入路に挿入部材を挿入すると共に、この挿入部材の末端にブックの背表紙の表面に位置するストッパを設け、上記挿入部材と挿入路とに前記挿入部材の挿入にともない押し戻される磁吸係止爪と、上記挿入部材の挿入終了にともない上記磁吸係止爪が係合関係になる係合部とを設けた盗難防止装置において、上記挿入部材に上記挿入路のブックにより被われない面から磁吸始動部位の距離を一方が近く、他方が遠くなるような段差をもち、かつ同方向に押し戻される少なくとも二つの磁吸係止爪を設け、解除具の一面上記挿入路の上記係合部に対向する壁の外側に位置する第１磁石で上記の距離の近い磁吸係止爪を、上記解除具の他面上記挿入路の上記磁吸係止爪の傾動方向に沿う壁の外側に位置する第２磁石で上記距離の遠い磁吸係止爪を同方向に磁吸し、陳列ケースの一側面の開口から盗難防止対象物を嵌装すると共に、上記開口の下縁脱出防止部によって上記嵌装下の盗難防止対象物の下縁側の脱出を阻止し、上記陳列ケースの上面から上方に突出する案内部によって上下方向に案内される昇降体を設けると共に、この昇降体に降下にともない嵌装下の盗難防止対象物の上方移動を止めるストッパを設け、上記昇降体と案内部とに前記昇降体の降下にともない押し戻される磁吸係止爪と、上記昇降体の降下終了にともない上記磁吸係止爪が係合関係になる係合部とを設けた盗難防止装置において、上記昇降体に前記昇降体の上面から磁吸始動部位の距離を一方が近く、他方が遠くなるように段差をもち、かつ同方向に押し戻される少なくとも二つの磁吸係止爪を設け、解除具の一面上記昇降体の上面外側に位置する第１磁石で上記の距離の近い磁吸係止爪を、上記解除具の他面案内部の側面外側に位置する第２磁石で上記の距離の遠い磁吸係止爪を同方向に磁吸する。
【００３４】
すると、ショップ側の解除具の一面の磁石により距離の近い方の磁吸係止爪を、解除具の他面の磁石により距離の遠い方の磁吸係止爪を同方向に磁吸して、係合部に対するそれぞれの磁吸係止爪の係合関係を解除する。
【００３５】
また、箱体と、この箱体の開口を開閉するように前記箱体の一辺にヒンジを介し設けた蓋体とで盗難防止対象物の収納陳列ケースを形成し、この陳列ケースの所要位置に設けてある挿入口から前記陳列ケースに設けてあるガイド手段により案内される挿入部材を挿入すると共に、この挿入部材と上記箱体及び蓋体とに掛合関係によって上記陳列ケースの開放阻止の掛合手段を設け、上記挿入部材と陳列ケース或いはガイド手段とに前記挿入部材の挿入終了にともない復元力に抗して押し戻される磁吸係止爪と、前記挿入部材の挿入終了にともない上記係止爪が係合関係になる係合部とを設けた盗難防止装置において、上記挿入部材に上記陳列ケースの周囲面から磁吸される垂直揺動の第１の磁吸係止爪及び陳列ケースの側面から磁吸される水平揺動の第２の磁吸係止爪を設けたことや周囲の一面に盗難防止対象の出し入れ用の開口を有する陳列ケースを形成し、この陳列ケースの周壁に上記開口から前記開口の反対方向にガイド手段を設けて、このガイド手段により案内される挿入部材を挿入し、この挿入部材の末端に前記開口の一部を閉鎖するストッパを設け、上記挿入部材と上記陳列ケース或いはガイド手段に前記挿入部材の挿入にともない復元力に抗して押し戻される磁吸係止爪と、上記挿入部材の挿入終了にともない上記磁吸係止爪とが係合関係になる係合部を設けた盗難防止装置において、上記挿入部材に上記陳列ケースの周囲面から磁吸される垂直揺動の第１の磁吸係止爪及び陳列ケースの側面から磁吸され水平揺動の第２の磁吸係止爪を設けた構成を採用する。
【００３６】
そして、Ｌ字状やコ字状の基材と、この基材の水平部分に垂直揺動する第１の磁吸係止爪に対向して前記第１の磁吸係止爪を解除方向に磁吸するように設けた第１磁石と、上記基材の垂直部分に水平揺動する第２の磁吸係止爪に対向して前記第２の磁吸係止爪を解除方向に磁吸するように設けた第２磁石とからなる解除具を使用する。
【００３７】
すると、解除具の第１磁石により垂直揺動する第１の磁吸係止爪を、第２磁石により水平揺動する第２の磁吸係止爪をそれぞれ解除方向に磁吸して、係合部に対する第１、第２の磁吸係止爪の係合関係を解除する。
【発明の効果】
【００３８】
以上のように、この発明の盗難防止装置によれば、挿入部材や昇降体に陳列ケースの周囲面や挿入路の一面や昇降体の一面から磁吸始動部位の距離を、一方が近く、他方が遠くなるように段差をもち、かつ同方向に押し戻される少なくとも二つの磁吸係止爪を設けてあるので、顧客の持参した一つの永久磁石で磁吸係止爪を磁吸しても、距離の近い、遠い段差のある磁吸係止爪の片方が磁吸されてももう片方が磁吸されない。
【００３９】
このため、磁吸されない方の磁吸係止爪と係合部との係合関係の維持によって盗難防止対象物やブックの盗難を防止する。
【００４０】
かりに、顧客の持参した二つの永久磁石で段差のある磁吸係止爪をそれぞれ磁吸しようとしても、磁石同志の磁吸によって互いに引き寄せ、その引き寄せが強力なために引き寄せられた磁石間で指などが挟まれて傷を負い、解除を著しく困難になる効果がある。すなわち、顧客による磁石を用いた解除の操作を困難にする。
【００４１】
また、ショップ側の解除具の一面第１磁石により段差のある片方距離の近い方の磁吸係止爪を、解除具の他面第２磁石によりもう片方距離の遠い方の磁吸係止爪をそれぞれ同方向に磁吸して、係合部に対する距離の近い、遠い磁吸係止爪の係合関係の解除を同時に行なうことができる。
【００４２】
さらに、挿入部材に陳列ケースの周囲面から磁吸される垂直揺動の第１の磁吸係止爪と、陳列ケースの側面から磁吸される水平揺動の第２の磁吸係止爪とを併設してあるので、陳列ケースの周囲面と側面との二面に磁石を重ね或いは近づけないかぎり係合関係を解除することができない。
【００４３】
そこで、顧客の持参した二つの磁石を周囲面と側面に重ねて磁吸係止爪を磁吸しようとしても磁石同志の磁吸によって互いに引き寄せ、その引き寄せが強力なため引き寄せられた磁石間で指などが挟まれて傷を負うので、解除が困難になって盗難防止に極めて効果を発揮する。
【００４４】
そして、ショップ側では、板面が水平な姿勢と垂直な姿勢になる第１、第２の磁石を設けた解除具によってスムーズに、かつ危険がなく係合関係を解除することができる。
【発明を実施するための最良の形態】
【００４５】
以下、この発明の実施の形態を添付図面に基づいて説明する。
【００４６】
この発明の第１の実施形態では、図１から図５に示すように、箱体１と、この箱体１の開口２を開閉するように箱体１の一辺にヒンジ３を介し設けた蓋体４とで盗難防止対象物Ａを収納する陳列ケースＫを形成する。
【００４７】
上記の箱体１及び蓋体４は、図示の場合、主壁５と、この主壁５の辺縁から連なって主壁５の裏面方向に突出する周壁６とで構成され、蓋体４の周壁６が箱体１の周壁６の外側に嵌装するようにしたが、嵌装を逆にすること、或いは周壁６の開放縁を突き合わせることもある。
【００４８】
上記のヒンジ３は、図示の場合、合成樹脂により陳列ケースＫを成形する際、箱体１の一辺の周壁６の両端を切り離して、この両端切り離し周壁６と箱体１及び蓋体４の各主壁５との連成境に二条のハーフカットのヒンジ３を設けて形成したが、箱体１の両側の平行する二辺の周壁６の端に蓋体４の両側の平行する二辺の周壁６の端をピンを介し取付けてヒンジとすることもできる。
【００４９】
上記の盗難防止対象物Ａは、図示の場合ディスクを示し、箱体１の主壁５の裏面中央に設けてある支持爪８にディスクのセンタ孔を支持させて収納するようにしたが、ディスクにかえてその他の盗難防止対象物Ａ、盗難を防止する物、例えばビデオテープなどであってもよい。
【００５０】
また、陳列ケースＫの所要位置に設けてある挿入口９から陳列ケースＫに設けてあるガイド手段１０により案内される挿入部材１１を挿入すると共に、この挿入部材１１と箱体１及び蓋体４とに掛合関係によって陳列ケースＫの開放阻止の掛合手段Ｎが設けてある。
【００５１】
上記挿入口９を有するガイド手段１０は、例えば図示の場合、箱体１及び蓋体４の両主壁５のヒンジ３に対向する辺縁を周壁６よりも外方に突出させ、この突出縁からそれぞれ内方（周壁６に向く）に突出させて陳列ケースＫの閉鎖に突き合わせるＬ形の連成壁１２と周壁６とで一端に挿入口９を有する角筒を形成してガイドとなるようにしたが、周壁６の外側に限定されず、周壁６の内側に位置するよう周壁６に挿入口９を、箱体１と蓋体４の両主壁５の裏面にレール状の突条を設けて（いずれも図示省略）挿入部材１１の挿入ガイドとすることもある。
【００５２】
要するに、上記構成に限定されずその他の構成で挿入部材１１の挿入をガイドするものであればよい。
【００５３】
そして、ガイド手段１０を設ける位置も、図示のヒンジ３に平行する辺縁に限定されず、陳列ケースＫのヒンジ３の端側の辺に挿入口を有するガイド手段を設けることもある。
【００５４】
上記の掛合手段Ｎは、図示の場合両連成壁１２に挿入部材１１側に突出する突出条１３を設けて、この両突出条１３を挿入部材１１を構成する帯状の連結板１４と、この連結板１４の両側縁から連なって縦断面Ｈ状に連なる両側板１５、１５の縁で両突出条１３を挿入部材１１の挿入にともない図５に示すように抱き込んで、挿入部材１１と箱体１及び蓋体４とが掛合関係になって陳列ケースＫの開放を阻止するようになっているが、その他の掛合手段Ｎにより挿入した挿入部材１１が、キーの役目をして陳列ケースＫの開放を阻止してもよい。
【００５５】
要するに、上記構成に限定されずその他の構成で挿入部材１１の挿入によって、挿入部材１１に対し箱体１側と蓋体４側とが掛合関係になって閉鎖状態の維持をはかるものであればよい。
【００５６】
当然箱体１及び蓋体４の周壁６も、図示のように主壁５の辺縁全長に限定されず、辺縁の所要部分に設けることもある。
【００５７】
さらに、挿入部材１１には、挿入部材１１の挿入にともない復元力に抗して同方向に押し戻される磁吸係止爪２１が二つ或いは二つ以上設けてあり、陳列ケースＫには、挿入部材１１の挿入終了にともない押し戻し力により復帰する磁吸係止爪２１が図３に示すように係合関係になって挿入部材１１の引き抜きを阻止する係合部２２が設けてある。
【００５８】
上記の磁吸係止爪２１は、図示の場合挿入部材１１のスライド方向前後で、かつ挿入部材１１の図１の下面に二つ配置したが、数や配置面は限定されず、また係合部２２を図示の場合挿入部材１１の磁吸係止爪２１の配置位置の関係で外側の周壁６（図示の場合蓋体４側の）の外周面に設けたが、限定されず磁吸係止爪２１の配置面によって、陳列ケースＫに設けてあるガイド手段１０の内面に設けることもある。
【００５９】
上記陳列ケースＫに係合部２２を設ける記載は、陳列ケースＫを構成する箱体１と蓋体４とに一体的にガイド手段１０を形成する突出条１３を有する連成壁１２が設けてあるために、箱体１及び蓋体４の外周に位置する周壁６や連成壁１２に係合部２２を設けることができるためである。
【００６０】
そして、上記挿入部材１１に設ける少なくとも二つの磁吸係止爪２１は、一方が陳列ケースＫの周壁６から磁吸始動部位を近く、他方が陳列ケースＫの周壁６から磁吸始動部位を遠くなるようにして設ける。
【００６１】
上記の磁吸係止爪２１は、図示の場合合成樹脂によって挿入部材１１を成形の際、挿入部材１１に対し係止爪を一体に成型して、連結元部が揺動支点部となると共に、復帰力が働き、係止爪に突出する脚部１０６を設けて、この脚部１０６に鉄片２３を固着（ビス止や係止爪に対する端末の埋没方式などで）し、磁吸始動部位の役目をする鉄片２３の位置を、一方が挿入部材１１の一面（図示の場合、突出条１３側の面）に対し近く、他方を遠くして段差をもつようにしてあると共に、同方向に磁吸されるようにしてある。
【００６２】
勿論、上記の構成に限定されず鉄片２３の具備しない磁吸係止爪２１として、係止爪の全部を鉄製の板状体によって形成した場合の近い、遠いの段差を高低差によって設けるか、鉄製の板状体の所要位置に屈曲突出部を設けて、この屈曲突出部を磁吸始動部とすると共に、屈曲突出部の一方を近く、他方を遠くなるようにして段差をもつようにすることなどで目的を達成する。
【００６３】
上記少なくとも二つの段差のある磁吸係止爪２１の配置も図示の場合挿入部材１１のスライド方向前後に二個設けたが、限定されず例えば挿入方向の両側に並設したり、また例えば挿入部材１１のスライド方向に直列状に並べる複数の磁吸係止爪２１を、距離の近い間に距離の遠いものを、又距離の遠い間に距離の近いものを配置するなど磁石を用いた磁吸による解除を困難にするため適宜決定すればよい。
【００６４】
図中２４は挿入部材１１の末端両側に設けた箱体１と蓋体４との抱き込み片、Ｔは挿入部材１１に設けた盗難防止タグ（この盗難防止タグＴは、周知のように、固有のＩＤコードをもち、ショップの出入口を通過の際、出入口に設置の高周波電磁界の発生により共振回路が共振して固有のＩＤコードの発振にともない高周波電磁界を変調させるもので、陳列ケースＫのショップ外への持ち出しを検出する）である。
【００６５】
次に、挿入部材１１の挿入状況下における磁吸係止爪２１と係合部２２との係合関係による開放阻止の陳列ケースＫから開放を可能とするための挿入部材１１の抜き取り解除方式を説明する。
【００６６】
まず、図６に示すショップ側の解除具２６の上面及び両端面が開放した溝２７に図７及び図８に示すように挿入部材１１が下側になるように把持した陳列ケースＫの下辺側を嵌め込む。
【００６７】
このとき、図８に示すように、溝２７の底に板面が水平な姿勢の永久第１磁石２８が配置してある。
【００６８】
この配置した第１磁石２８は、距離の近い磁吸係止爪２１の磁吸始動部位（図示の場合鉄片２３の直下で、距離の近い磁吸係止爪２１を磁吸する位置になっている。
【００６９】
なお、第１磁石２８の上側の水平面は、溝２７の底面と同一面か、或いは若干低くして陳列ケースＫに対する解除具２７は又は解除具２７に対する陳列ケースＫのスライドを阻害しないようにしてある。
【００７０】
一方、溝２７の底に距離の遠い永久磁石を配置しても距離の遠い磁吸係止爪２１の（磁石に対する磁吸始動部位が遠いために）磁吸がない。
【００７１】
このため、磁吸係止爪２１と係合部２２との係合関係の解除は、図８に示すように第１磁石２８によって磁吸された近い距離の磁吸係止爪２１のみとなる。すなわち、距離の遠い磁吸係止爪２１の係合関係が解除されない。
【００７２】
そこで、図６から図９に示すように、溝２７内の側面に板面が垂直な姿勢の永久第２磁石２９を配置する。
【００７３】
この第２磁石２９は、第１磁石２８と同様に表面が溝２７の側面から突出しないようになっていると共に、第２磁石２９によって距離の遠い磁吸係止爪２１を磁吸して、距離の遠い磁吸係止爪２１と係合部２２との係合関係が図８に示すように解除されるようになっている。
【００７４】
磁吸係止爪２１を磁吸する第２磁石２９は、磁吸係止爪２１の磁吸始動部位に第２磁石２９の端や、或いは端部や途中が近づくことで磁吸され、この磁吸にともない係合部２２から外れる方向に引き戻す。
【００７５】
すると、ショップ側で距離の近い、遠い両磁吸係止爪２１と係合部２２との係合関係を解除したのち、図８の左方向に陳列ケースＫをスライドさせる（又は図８の右方向に解除具２６をスライドさせる）ことで、挿入部材１１の末端の突片３０が解除具２６に引っかかって、挿入部材１１を脱出方向にスライドする。
【００７６】
引き抜いた挿入部材１１は、ショップ側に回収され、再使用する。
【００７７】
なお、挿入部材１１の存在しない陳列ケースＫは、周知のように貸し出しや販売ケースとして使用する。
【００７８】
この発明の第２の実施形態では、図１０から図１４に示すように、周囲の一面に盗難防止対象物Ａの出し入れ用の開口３１を有する陳列ケースＫ′を形成する。
【００７９】
上記の陳列ケースＫ′は、図１０に示すように、対向する側壁３２と、この側壁３２の周囲一面に開口３１を形成するように側壁３２の並行する一辺縁を除く辺縁を連結する周壁３３とで構成され、例えば合成樹脂により成型される。
【００８０】
なお、側壁３２に貫窓３４を設けて、挿入してある盗難防止対象物Ａが見えるようになっているが、限定されない。
【００８１】
上記の盗難防止対象物Ａとしては、例えばディスク（図示省略）を収納した収納ケースを示したが、限定されず、ビデオテープやその他の盗難を防止するものであってもよい。
【００８２】
また、陳列ケースＫ′の周壁に開口３１から前記開口３１の反対方向にガイド手段３５を設けて、このガイド手段３５により案内される挿入部材３６を挿入し、この挿入部材３６の挿入先行端の反対側末端には、挿入部材３６の挿入にともない開口３１の一部を閉鎖して挿入（収納）してある盗難防止対象物Ａの取り出しを阻止するストッパ３７が設けてある。
【００８３】
上記のガイド手段３５は、図示の場合、周壁３３の内側で、かつ周壁３３に平行するように側壁３２に側縁が連なるガイド壁３８を設けて、このガイド壁３８と周壁３３及び両側壁３２とで角筒のガイド手段３５を形成したが、限定されず、例えば、ガイド壁３８を片方の側壁３２から連成したり、或いは周壁３３の外側にコ字状のガイド壁を設けて、このガイド壁と周壁とで角筒のガイド手段（図示省略）を設けることもできる。
【００８４】
上記のストッパ３７は、図１０から図１２に示すように、ハーフカットやピンなどのヒンジ３９を介し起伏自在に設け、挿入部材３６の挿入終了にともないガイド手段３５内にヒンジ３９が納まって、ストッパ３７の起立方向の回動を止めてストッパとしての機能を損なうことがないようにすると共に、挿入部材３６の脱出方向のスライド後の停止（周知のように１ピッチのスライドにともなう停止）にともないガイド手段３５からヒンジ３９が脱出するので、ストッパ３７を起立方向に回動させて陳列ケースＫ′から盗難防止対象物Ａを取り出す（逆に挿入も）ことができる。
【００８５】
このため、挿入部材３６の完全な抜き取りが不要になる。
【００８６】
勿論、ヒンジ３９付のストッパ３７に限定されず、図１４に示すように、挿入部材３６にストッパ３７を一体に設けてもよい。
【００８７】
その際、挿入部材３６を完全に抜き取るか、或いは脱出方向の途中迄挿入部材３６をスライドさせて、挿入部材３６のストッパ３７側を図１４上方に引き上げて、盗難防止対象物Ａに対するストッパ３７の衝突を回避するようにしてもよい。
【００８８】
また、挿入部材３６とガイド手段３５とには、挿入部材３６の挿入にともない復元力に抗して押し戻されると共に、陳列ケースＫ′の周壁３３からの磁吸始動部位の距離を近く、遠くなるように段差をもつ少なくとも二つの磁吸係止爪２１と、挿入部材３６の挿入終了にともないそれぞれの磁吸係止爪２１が係合関係になる係合部２２が設けてある。
【００８９】
上記の段差のある磁吸係止爪２１及び係合部２２の構成及び配置、そして作用効果は、第１の実施形態と同様につき、又ショップ側の解除具を用いた解除方式（図１５、１６に示す）は、第１の実施形態と同様につき説明を省略する。
【００９０】
図中Ｔは第１の実施形態と同様の盗難防止タグ、４０は鉄片２３の衝突回避窓である。
【００９１】
この発明の第３の実施形態では、図１７から図２０に示すように、筒状の保持部材４１にブックＢの綴じ込み紙ｂのみ、或いは綴じ込み紙ｂと表裏表紙Ｃの片方とを貫通させる。
【００９２】
次に保持部材４１のブックＢにより被われない露出面に設けてある筒状の挿入路４２に挿入部材４３を挿入すると共に、この挿入部材４３の挿入先行端の反対側端には、挿入部材４３の挿入終了にともないブックＢの背表紙Ｄの表面に位置するストッパ４４が設けてあり、このストッパ４４の存在によって保持部材４１からブックＢのストッパ４４側への抜き取りを阻止する。
【００９３】
勿論、ストッパ４４の反対方向の抜き取りは、保持部材４１の表面側に存在する表裏表紙Ｃの両方や片方によって阻止され、図示のように保持部材４１を形成する左右の側壁４５と上下の頂壁４６及び底壁４７とで角筒とする上記頂壁４５及び底壁４６の少なくとも片方から突出する突出片４８を綴じ込み紙ｂ間に食い込ませて、綴じ込み紙ｂと反転させた表裏表紙Ｃとがストッパ４４の反対方向にスライドさせて保持部材４１に対するブックＢが抜けるのを阻止する。
【００９４】
上記の挿入路４２は、頂壁４６の内側で、両側壁４５の内面に側縁を連結して頂壁４６に平行するガイド壁４９を設けて角筒状としたが、限定されず、頂壁４６の外側に筒状の挿入路４６を設けてもよい。
【００９５】
上記のストッパ４４は、第２の実施形態と同様にピンヒンジ３９を介し挿入部材４３を介し設けたが（作用効果は、第２の実施形態と同様につき説明を省略する）、限定されない。
【００９６】
また、挿入部材４３と挿入路４２には、挿入部材４３の挿入にともない同方向に押し戻されると共に、挿入部材４３の一面からの磁吸始動部位の距離を近く、遠くなるように段差をもって少なくとも二つの磁吸係止爪２１と、挿入部材４３の挿入にともない磁吸係止爪２１が係合関係になる係合部２２が設けてある。
【００９７】
上記の段差をもつ近い遠いは、図示の場合挿入路５３の介在部材５１の突出部材５１の突出方向の反対側の壁に対する距離である。
【００９８】
上記の段差のある磁吸係止爪２１及び係合部２２の構成及び配置、そして作用効果は、第１の実施形態と同様につき、又ショップ側の解除具（図示省略）を用いた解除方式は、第１の実施形態と同様につき説明を省略する。
【００９９】
図中Ｔは、第１の実施形態と同様の盗難防止タグ、４０は鉄片２３の衝突回避窓である。
【０１００】
なお、陳列時のブックＢの盗難を防止する以外に立ち読みも防止することができる。
【０１０１】
この発明の第４の実施形態では、図２１、２２に示すように、ブックＢの綴じ込み紙ｂ間で、かつブックＢの背表紙Ｄに沿って介在部材５１を介在すると共に、この介在部材５１の下端には、ブックＢに対する介在部材５１の上方への抜止め部５２が設けてある。
【０１０２】
上記の抜止め部５２は、介在部材５０の下端から両側の方向に突出させて設けてあり、上記の介在部材５１は、板状体により形成して、綴じ込み紙Ｂの厚みを極力増加させないようになっている。
【０１０３】
また、介在部材５１の上端に挿入路５３を設けて、この挿入路５３に挿入部材５４を挿入して、この挿入部材５４の挿入先行端の反対側端には、挿入部材５４の挿入終了時にブックＢの背表紙Ｄの表面に臨むストッパ５５が設けてある。
【０１０４】
そして、挿入部材５４と挿入路５３とには、挿入部材５４の挿入にともない復元力に抗して同方向に押し戻される少なくとも二つの磁吸係止爪２１と、挿入部材５４の挿入終了にともない磁吸係止爪２１が係合関係になる係合部２２が設けてあって、陳列状況下でのブックＢの取り外しができないようになっていると共に、挿入部材５４に設けた第１の実施形態と同様のタグＴによって店外への持ち出しを防止するようにしてある。
【０１０５】
上記のような周知のブックの盗難防止装置の上記の磁吸係止爪２１を、挿入部材５４の一面からの磁吸始動部位の距離を近く、遠くなるようにしてある。
【０１０６】
上記の磁吸始動部位の近い、遠い磁吸係止爪２１及び係合部２２の構成及び配置、そして作用効果は、第１の実施形態と同様につき、又ショップ側の解除具（図示省略）を用いた解除方式は、第１の実施形態と同様につき説明を省略する。
【０１０７】
なお、挿入路５３は、例えば合成樹脂による介在部材５１と一体に角筒を成型して形成し、ストッパ５５は、図示のようにヒンジ３９を介し設けたが、ヒンジ３９の有無は自由である。
【０１０８】
上記ヒンジ３９による作用効果は、第２の実施形態と同様につき説明を省略する。
【０１０９】
また、図示のように、挿入路５３と抜止め部５２との少なくとも片方の両側にブックＢの全部或いは表裏表紙Ｃの両方又は片方を抱き込む抱き込み片５６を設けておくと、ブックＢの捲りを阻止して、立ち読みを防止することができる。
【０１１０】
この発明の第５の実施形態では、図２３から図２８に示すように、陳列ケースＫ″の一側面に設けてある開口６１から盗難防止対象物Ａを、盗難防止対象物Ａの上縁側を先行させて嵌入し、次いで盗難防止対象物Ａの下縁を嵌入（障子の立て込み手順のように）して嵌装すると共に、開口６１の下縁から上方に突出する下縁脱出防止部６２と盗難防止対象物Ａの下縁部との引っかかりによって、嵌装下の盗難防止対象物Ａの脱出が阻止される。
【０１１１】
嵌装下の盗難防止対象物Ａの上部は、開口６１の上縁よりも上方に位置する。
【０１１２】
上記の盗難防止対象物Ａとしては、例えば商品のディスクを収納した収納ケースなどで、上記以外のものであってもよい。
【０１１３】
また、陳列ケースＫ″の上面から上方に突出する案内部６３を設けて、この案内部６３によって昇降体６４を上下方向にスライド自在に案内する。
【０１１４】
上記の案内部６３は、図示の場合合成樹脂成形の陳列ケースＫ′と一体に上面が開放する角筒を用い、この角筒に合成樹脂成形の中空のボックス状の昇降体６４を嵌入したが、その他の構成で目的を達成するようにしてもよい。
【０１１５】
さらに、昇降体６４の降下にともない共に降下するストッパ６５によって盗難防止対象物Ａの上方への移動を止めると共に、昇降体６４と案内部６３とに昇降体６４の降下にともない押し戻される磁吸係止爪２１と、昇降体５４の降下終了にともない磁吸係止爪２１が係合関係になる係合部２２とが設けられ、上記の磁吸係止爪２２を二つ或いは二つ以上同方向に押し戻されるように設けると共に、昇降体６４の上面からの磁吸始動部位の距離を近く、遠くなるように段差をもって設ける。
【０１１６】
上記の段差のある磁吸係止爪２１及び係合部２２の構成及び配置、そして作用効果は、第１の実施形態と同様につき説明を省略する。
【０１１７】
又ショップ側の解除具２６は、第１の実施形態と同様に解除具２６の一面に設けた板面が水平な第１磁石２８により磁吸始動部位（図示鉄片２３）の距離の近い磁吸係止爪２１を磁吸して係合関係を解除し、解除具２６の他面に設けた板面が垂直な第２磁石２９により磁吸始動部位（図示鉄片２３）の距離の遠い磁吸係止爪２１を磁吸して（図２８に示すように）係合関係を解除する。
【０１１８】
すると、バネ６７によって昇降体５４を上昇復帰させて、ストッパ６５による盗難防止対象物Ａの押し上げが可能になる。
【０１１９】
上記のように第１から第５の実施形態の段差のある少なくとも二つの磁吸係止爪２１を配置することで、解除具２６の第１磁石２８で挿入部材１１、３６、４３、５４や昇降体６４の一面からの磁吸始動部位の近い磁吸係止爪２１のみを磁吸して係合関係を解除する。
【０１２０】
なお、図１５、１６に示すように、解除具２６に撮み１０１を把持してスライダ１０２を引き寄せ、この引き寄せにともないスライダ１０２の突起１０３とストッパ３７の突部１０４との引っかかりによって挿入部材３６を脱出方向にスライドさせることができる。
【０１２１】
また、昇降体６４の磁吸係止爪２１は、昇降体６４を形成する周壁にＵ字状の切り込み１１０を入れて、この切り込み１１０の内側に係止爪を設けると共に、第１の実施形態と同様の脚部１０６に鉄片２３を取付けたが、限定されない。
【０１２２】
その際、磁吸始動部位の距離の遠い磁吸係止爪２１の係合関係は、解除されない。
【０１２３】
そこで、解除具２６の第２磁石２９により上記磁吸始動部位の距離の遠い磁吸係止爪２１を磁吸することで係合関係を解除する。
【０１２４】
その要因は、解除具２６の異なる面に第１磁石２８、第２磁石２９を配置（第２磁石２９の配置は、図示片側だけではなく、遠い磁吸係止爪２１の数によって両側にも設けることもある）により解除（係合関係の）を煩雑にすることにある。
【０１２５】
そして、かりに顧客の持ち込んだ複数の磁石を用いて解除しようとしても、磁吸しあう磁石同志の端面で指などが強く挟まれていたみを与え、解除操作を大変困難にする。
【０１２６】
この発明の第６の実施形態では、図２９から、図３１に示すように、第１の実施形態と同様の陳列ケースＫの所要位置に設けてある挿入口９から陳列ケースＫに設けてあるガイド手段１０により案内される挿入部材１１を挿入すると共に、この挿入部材１１と陳列ケースＫを構成する箱体１及び蓋体４とに掛合関係によって陳列ケースＫの開放阻止の掛合手段Ｎが設けてある。
【０１２７】
上記の陳列ケースＫの構成、挿入口９を有するガイド手段１０、挿入部材１１と箱体１及び蓋体４との掛合手段Ｎの構成は、第１の実施形態と同様につき説明を省略する。
【０１２８】
また、挿入部材１１には、挿入部材１１の挿入にともない復元力に抗して押し戻され、一方が陳列ケースＫの周囲面（図５連成壁１２の突出条１３を有する面）から磁吸される垂直揺動の第１の磁吸係止爪１６１と、陳列ケースＫの側面（図３の主壁５の表面）から磁吸される水平揺動の第２の磁吸係止爪１６２とが設けてある。
【０１２９】
さらに、陳列ケースＫ或いはガイド手段１０には、挿入部材１１の挿入終了にともない復元力により復帰して第１の磁吸係止爪１６１と第２の磁吸係止爪１６２とが係合関係になる係合部１６３が設けてある。
【０１３０】
上記の第１及び第２の磁吸係止爪１６１、１６２は、第１の実施形態の磁吸係止爪２１（鉄片２３付の脚部１０６を設けた）と、又係合部１６３は、第１の実施形態の係合部２２と同様につき説明を省略する。
【０１３１】
すると、挿入口９からガイド手段１０により案内させて挿入部材１１を挿入することで、挿入終了にともない係合関係になる第１の磁吸係止爪１６１及び第２の磁吸係止爪１６２と係合部１６３とで挿入部材１１の引き抜きが阻止されると共に、掛合手段Ｎの係合関係によって陳列ケースＫの開放が阻止されるため、陳列ケースＫ内の盗難防止対象物Ａの盗難を防止する。
【０１３２】
上記の陳列ケースＫの開放阻止を解除するには、図３２及び図３３に示すように、Ｌ字状やコ字状の基材１８１の水平部１８２に陳列ケースＫの周壁から第１の磁吸係止爪１６１を磁吸する第１の磁石１８３を設け、基材１８１の垂直部１８４に陳列ケースＫの側面から第２の磁吸係止爪１６２を磁吸する第２の磁石１８５を設けた解除具１８６を用いる。
【０１３３】
そして、磁吸にともなう第１、第２の磁吸係止爪１６１、１６２と係合部１６３との係合関係の解除したのち、図３２に示すように陳列ケースＫ矢符方向にスライドさせて、陳列ケースＫから挿入部材１１を抜き取る。
【０１３４】
なお、挿入部材１１の突片３０が解除具１８６の端面に引っかかって陳列ケースＫのみがスライドする。
【０１３５】
この発明の第７の実施形態では、図３４から図３６に示すように、第２の実施形態と同様の陳列ケースＫ′の周壁に周囲一面の開口３１から反対方向にガイド手段３５を設けて、このガイド手段３５により案内される挿入部材３６を挿入し、この挿入部材３６の挿入先行端の反対側末端には、挿入部材３６の挿入終了にともない開口３１を閉鎖して、陳列ケースＫ′に挿入（収納）してある盗難防止対象物Ａの取り出しを阻止するストッパ３７が設けてある。
【０１３６】
上記の陳列ケースＫ′の構成、ガイド手段３５、挿入部材３６、盗難防止対象物Ａ、ストッパ３７は、第２の実施形態と同様につき説明を省略する。
【０１３７】
そして、ショップ側に回収する挿入部材３６には、ショップ外への持ち出しを検出する盗難防止タグＴが設けてある。
【０１３８】
上記の盗難防止タグＴは、第１の実施形態と同様につき説明を省略する。
【０１３９】
また、挿入部材３６を陳列ケースＫ′或いはガイド手段３５とには、第６の実施形態と同様の第１の磁吸係止爪１６１及び第２の磁吸係止爪１６２と係合部１６３が設けてある。
【０１４０】
上記の第１の磁吸係止爪１６１及び第２の磁吸係止爪１６２、そして係合部１６３は、第６の実施形態と同様につき（構成は、第１の実施形態と同様）説明を省略する。
【０１４１】
さらに、ショップ側の解除具１８６を用いた係合部１６３に対する第１磁吸係止爪１６１及び第２の磁吸係止爪１６２の係合関係の解除（第１の磁石１８３、第２の磁石１８５による）は、第６の実施形態と同様につき説明を省略する。
【０１４２】
勿論、解除具１８６の構成も、第６の実施形態と同様につき説明を省略する。
【０１４３】
なお、第６及び第７の実施形態の第１、第２の磁吸係止爪１６１、１６２の数は、それぞれ図示の１個に限定されず、適宜数を決定すればよい。
【０１４４】
そして、解除具１８６の第１の磁石１８３及び第２の磁石１８５の表面を図示のように水平部１８２や垂直部１８４の表面に対しつらいちにしておくと、陳列ケースＫのスライドが（逆に解除具１８６をスライドさせてもよい）スムーズになる。
【０１４５】
又挿入部材１１に第１の実施形態と同様の盗難防止タグＴを設けて、ショップ外への持ち出しを検出する。
【０１４６】
上記のタグＴは、第１の実施形態と同様につき説明を省略する。
【０１４７】
なお、上述の解除具１８６は、第１の実施形態から第５の実施形態にも使用することができる。
【０１４８】
前述の第６、第７実施形態に記載の第２磁吸係止爪１６２は、挿入部材１１、３６の一側に限定されず、両側に設けることもある。
【図面の簡単な説明】
【０１４９】
【図１】この発明の第１の実施形態を示す分解斜視図
【図２】陳列ケースを解除した斜視図
【図３】陳列ケースの一部切欠側面図
【図４】同上の横断平面図
【図５】一部切欠正面図
【図６】解除具の一部切欠斜視図
【図７】解除前の一部切欠側面図
【図８】解除を示す一部切欠側面図
【図９】同上の縦断正面図
【図１０】第２の実施形態を示す分解斜視図
【図１１】同一部切欠側面図
【図１２】挿入部材を脱出方向にスライドした一部切欠側面図
【図１３】同上の縦断正面図
【図１４】ストッパの他の例を示す一部切欠側面図
【図１５】解除前の一部切欠側面図
【図１６】解除を示す一部切欠側面図
【図１７】第３の実施形態を示す分解斜視図
【図１８】ブックをセットした斜視図
【図１９】同上の縦断側面図
【図２０】同縦断正面図
【図２１】第４の実施形態を示す一部切欠側面図
【図２２】同上の縦断正面図
【図２３】第５の実施形態を示す斜視図
【図２４】同上の縦断正面図
【図２５】同上の要部を示す一部切欠側面図
【図２６】同一部切欠正面図
【図２７】同一部切欠平面図
【図２８】解除を示す一部切欠平面図
【図２９】第６の実施形態を示す斜視図
【図３０】同上の一部切欠側面図
【図３１】同横断平面図
【図３２】解除を示す縦断側面図
【図３３】同横断平面図
【図３４】第７の実施形態を示す斜視図
【図３５】同上の縦断側面図
【図３６】同横断平面図
【図３７】第１の従来例を示す分解斜視図
【図３８】同上の一部切欠側面図
【図３９】第２の従来例を示す側面図
【図４０】同上の縦断側面図
【図４１】同横断平面図
【図４２】同上の解除を示す横断平面図
【図４３】図３２のＹ−Ｙ線に沿う断面図
【図４４】図３２のＺ−Ｚ線に沿う断面図
【図４５】第３の従来例を示す一部切欠側面図
【図４６】同上の解除を示す一部切欠側面図
【図４７】第４の従来例を示す一部切欠側面図
【図４８】同上の縦断正面図
【符号の説明】
【０１５０】
Ａ          盗難防止対象物
Ｋ、Ｋ′    陳列ケース
Ｎ          掛合手段
１          箱体
２          開口
３          ヒンジ
４          蓋体
５          主壁
６          周壁
８          支持爪
９          挿入口
１０        ガイド手段
１１        挿入部材
１２        連成壁
１３        突出条
１４        連結板
１５        側板
２１        磁吸係止爪
２２        係合部
２３        鉄片
２６        解除具
２７        溝
２８        第１磁石
２９        第２磁石
３０        突片
３１        開口
３２        側壁
３３        周壁
３４        貫窓
３５        ガイド手段
３６        挿入部材
３７        ストッパ
３８        ガイド壁
３９        ヒンジ
４１        保持部材
４２        挿入路
４３        挿入部材
４４        ストッパ
４５        側壁
４６        頂壁
４７        底壁
４８        突出片
４９        ガイド壁
５１        介在部材
５２        抜止め部
５３        挿入路
５４        挿入部材
５５        ストッパ
５６        抱き込み片
６１        開口
６２        脱出防止部
６３        案内部
６４        昇降体
６５        ストッパ
１６１      第１の磁吸係止爪
１６２      第２の磁吸係止爪
１６３      係合部
１８１      基材
１８２      水平部
１８３      第１の磁石
１８４      垂直部
１８５      第２の磁石
１８６      解除具
【図１】
2007030931.tif 000003
【図２】
2007030931.tif 000004
【図３】
2007030931.tif 000005
【図４】
2007030931.tif 000006
【図５】
2007030931.tif 000007
【図６】
2007030931.tif 000008
【図７】
2007030931.tif 000009
【図８】
2007030931.tif 000010
【図９】
2007030931.tif 000011
【図１０】
2007030931.tif 000012
【図１１】
2007030931.tif 000013
【図１２】
2007030931.tif 000014
【図１３】
2007030931.tif 000015
【図１４】
2007030931.tif 000016
【図１５】
2007030931.tif 000017
【図１６】
2007030931.tif 000018
【図１７】
2007030931.tif 000019
【図１８】
2007030931.tif 000020
【図１９】
2007030931.tif 000021
【図２０】
2007030931.tif 000022
【図２１】
2007030931.tif 000023
【図２２】
2007030931.tif 000024
【図２３】
2007030931.tif 000025
【図２４】
2007030931.tif 000026
【図２５】
2007030931.tif 000027
【図２６】
2007030931.tif 000028
【図２７】
2007030931.tif 000029
【図２８】
2007030931.tif 000030
【図２９】
2007030931.tif 000031
【図３０】
2007030931.tif 000032
【図３１】
2007030931.tif 000033
【図３２】
2007030931.tif 000034
【図３３】
2007030931.tif 000035
【図３４】
2007030931.tif 000036
【図３５】
2007030931.tif 000037
【図３６】
2007030931.tif 000038
【図３７】
2007030931.tif 000039
【図３８】
2007030931.tif 000040
【図３９】
2007030931.tif 000041
【図４０】
2007030931.tif 000042
【図４１】
2007030931.tif 000043
【図４２】
2007030931.tif 000044
【図４３】
2007030931.tif 000045
【図４４】
2007030931.tif 000046
【図４５】
2007030931.tif 000047
【図４６】
2007030931.tif 000048
【図４７】
2007030931.tif 000049
【図４８】
2007030931.tif 000050